(57)【要約】【課題】バッグ内に携帯用ティッシュを縦向きで収容した状態のまま、ティッシュペーパーを容易に取出しできるようにする。【解決手段】２枚一組のティッシュペーパー２が上下のティッシュペーパー２，２と折り重ねられた状態で重畳されるとともに、このティッシュペーパー束２Ａが長手方向に沿ってミシン目３ａが形成されたフィルム包装袋３内に収容された携帯用ティッシュ１において、前記ミシン目３ａをフィルム包装袋３の幅方向中心位置Ｋよりも一方の長手方向側縁５１側に片寄った位置に形成する。この場合、好ましくは前記ミシン目３ａをフィルム包装袋３の幅方向中心Ｋより一方の長手方向側縁５１側に、該フィルム包装袋短辺寸法の２０％範囲Ｓ３を越えた位置から前記一方の長手方向側縁５１までの範囲Ｓ２内に形成する。【選択図】  図２
2004217298.tif 000002
【特許請求の範囲】
【請求項１】
２枚一組のティッシュペーパーが上下のティッシュペーパーと折り重ねられた状態で重畳されるとともに、このティッシュペーパー束が長手方向に沿ってミシン目が形成されたフィルム包装袋内に収容された携帯用ティッシュにおいて、
前記ミシン目がフィルム包装袋の幅方向中心位置よりも一方の長手方向側縁側に片寄った位置に形成されていることを特徴とする携帯用ティッシュ。
【請求項２】
前記フィルム包装袋において、少なくとも前記ミシン目に対して相対的に遠距離側となる長手方向側縁部分に襠を形成してある請求項１記載の携帯用ティッシュ。
【請求項３】
前記襠の幅はティッシュぺーパー束の厚みに少なくとも５ｍｍを加えた寸法以上の幅としてある請求項２記載の携帯用ティッシュ。
【請求項４】
前記ミシン目はフィルム包装袋の幅方向中心より一方の長手方向側縁側に、該フィルム包装袋短辺寸法の２０％ずれた位置から前記一方の長手方向側縁までの範囲に形成されている請求項１〜３いずれかに記載の携帯用ティッシュ。
【請求項５】
前記ミシン目の長さはフィルム包装袋の長手寸法に対して４５〜７０％の割合としてある請求項１〜４いずれかに記載の携帯用ティッシュ。
【発明の詳細な説明】
【０００１】
【発明の属する技術分野】
本発明は、特には鼻炎、花粉症、旅行等のある程度の使用量が必要とされる際に、使用に供されるパック包装の携帯用ティッシュに関する。
【０００２】
【従来の技術】
現在、ティッシュペーパーは使用者の便宜に供するように、種々の形態で市場に提供されている。最も多いのは、ボックス型とポケット型である。前者のボックス型は、上面に取出口を有する紙箱内に、通常は２００組（４００枚）のティッシュペーパーを折り重ねた状態で収容したもので、後者のポケット型は概ね縦７０〜８０ｍｍ、横１１０〜１２０ｍｍのサイズのポリエチレン包装袋内に１０〜１５組程度のティッシュペーパーを折り重ねた状態（以下、ティッシュペーパー束という。）で収容したものである。
【０００３】
近年、これらボックス型とポケット型に加え、中間サイズのパック包装された携帯用ティッシュ（以下、ハンディ型という。）が市場に提供されるようになってきた。このハンディ型携帯ティッシュは、主には鼻炎、花粉症、旅行等のある程度の使用量が必要とされる際、使用に供されるもので、図８に示されるように、幅方向中心位置に長手方向に沿って１本のミシン目５０ａが形成されたポリエチレン又はポリプロピレン等のフィルム包装袋５０内に約５０組程度のティッシュペーパー束５１Ａを収容し、短辺側の２側縁５２，５２をそれぞれシール封鎖したもので、平面サイズはほぼ前記ボックス型と同程度のサイズを有する。なお、前記ハンディ型携帯用ティッシュは、主にはハンドバック、鞄等のバッグ内に収容した状態で携帯されるものである。
【０００４】
【発明が解決しようとする課題】
しかしながら、バッグ内に携帯用ティッシュを包装袋の短辺を立て置きで収容した状態のままティッシュペーパーを取り出そうとする場合、取出し口となるミシン目５０ａが側面中央に設けられているため、他の収容物を押し退けなければティッシュペーパーが取出しづらいなどの問題があった。
【０００５】
また、バッグ内にたくさんの物が収容されている場合には、携帯用ティッシュも包装袋の短辺を立て置きした状態を保持することができるが、バッグ内の収容物が少ない場合にはフィルム包装袋が自立状態を保持することが困難で、すぐに倒れてしまうなどの問題もあった。
【０００６】
そこで本発明の主たる課題は、バッグ内に携帯用ティッシュを包装袋の短辺を立て置きで収容した状態のまま、ティッシュペーパーの取出しを容易化することにある。また、バッグ内に携帯用ティッシュを包装袋の短辺を立て置きした状態で安定的に収容可能とすることにある。
【０００７】
【課題を解決するための手段】
前記課題を解決するために請求項１に係る本発明として、２枚一組のティッシュペーパーが上下のティッシュペーパーと折り重ねられた状態で重畳されるとともに、このティッシュペーパー束が長手方向に沿ってミシン目が形成されたフィルム包装袋内に収容された携帯用ティッシュにおいて、
前記ミシン目がフィルム包装袋の幅方向中心位置よりも一方の長手方向側縁側に片寄った位置に形成されていることを特徴とする携帯用ティッシュが提供される。
【０００８】
上記請求項１記載の本発明では、従来フィルム包装袋の幅方向中心位置に長手方向に沿って形成されていたミシン目をフィルム包装袋の上部側にずらした位置に形成したため、携帯用ティッシュをバッグ内に収容した状態のまま、ティッシュペーパーを容易に取り出すことが可能となる。
【０００９】
請求項２に係る本発明として、前記フィルム包装袋において、少なくとも前記ミシン目に対して相対的に遠距離側となる長手方向側縁部分に襠を形成してある請求項１記載の携帯用ティッシュが提供される。
【００１０】
上記請求項２記載の発明では、バッグ内に収容した状態時に、底面側となる他方の長手方向側縁部分に底面幅を確保するための襠を形成するようにしたため、バッグ内に携帯用ティッシュを縦向き状態で安定的に収容可能となる。
【００１１】
請求項３に係る本発明として、前記襠の幅はティッシュペーパー束の厚みに少なくとも５ｍｍを加えた寸法以上の幅としてある請求項２記載の携帯用ティッシュが提供される。
【００１２】
請求項４に係る本発明として、前記ミシン目はフィルム包装袋の幅方向中心より一方の長手方向側縁側に、該フィルム包装袋短辺寸法の２０％ずれた位置から前記一方の長手方向側縁までの範囲に形成されている請求項１〜３いずれかに記載の携帯用ティッシュが提供される。
【００１３】
請求項５に係る本発明として、前記ミシン目の長さはフィルム包装袋の長手寸法に対して４５〜７０％の割合としてある請求項１〜４いずれかに記載の携帯用ティッシュが提供される。
【００１４】
【発明の実施の形態】
以下、本発明の実施の形態について図面を参照しながら詳述する。
図１は携帯用ティッシュ１の斜視図、図２はその平面図、図３及び図４はフィルム包装袋の変形例図である。
【００１５】
図１に示されるように、携帯用ティッシュ１は、２枚一組のティッシュペーパー２が上下に積み重ねられるティッシュペーパー２、２と折り重ねられた状態で重畳されるとともに、プラスチック製のフィルム包装袋３内に収容されたものである。なお、同図では包装形態は、開口側短辺４，４の２辺をシール封鎖する２辺シール包装（以下、ピロー包装ともいう。）が採用されている。前記重畳されたティッシュペーパー束２Ａは、１０〜５０ｍｍ程度の厚みとされ、フィルム包装袋３は、収容されるティッシュペーパー束２Ａがヨレや型崩れを起こし難いように、好ましくは厚みが５０〜１００μｍとされ、従来のフィルム包装袋からすればかなり厚手のものが使用されている。素材はポリエチレン又はポリプロピレンなどを好適に使用することができる。
【００１６】
前記フィルム包装袋３の上面にはミシン目３ａが形成されており、使用時には前記ミシン目３ａを開封し（以降、取出口３ａという。）、最上部のティッシュペーパー２を取り出すと、次のティッシュペーパー２が取り出し易いように取出口３ａよりその一部が突出する、所謂ポップアップ方式が採用されている。
【００１７】
前記ティッシュペーパー２の重畳構造としては、ボックスタイプなどで採用されている一般的な２つ折りの他、３つ折り（Ｚ折り又は変形Ｚ折り）などがある。前記２つ折り重畳構造は、図５に示されるように、各ティッシュペーパー２が略中央線を折り目として約半分に折り畳まれ、ティッシュペーパー２を１枚づつ交互に対向させ、上側に重ね合わされるティッシュペーパーの下側部分２ａと下側に重ね合わされるティッシュペーパーの上側部分２ｂとを順次重ね合わせて成る重畳構造である。前記３つ折りは、主にウェットティッシュなどに採用されている重畳構造で、例えば図６に示されるように、各ティッシュペーパー２がほぼ中央部を折り目として折り畳まれるとともに、これら両折り畳み片の一方側片において、そのほぼ中央部を折り目としてさらに先端側が反対側に折り返されることにより断面不等辺Ｚ状に折り畳まれ、前記不等辺Ｚ形状を構成する各面のうち、辺長の最も長い部分を上部分２ｂ、この上部分に隣接する中間を中部分２ｃ、残りを下部分２ｄとして、下側に重ね合わされるティッシュペーパー２の前記上部分２ｂのほぼ先端側半分が、上側に重ね合わされるティッシュペーパー２の前記上部分２ｂと中部分２ｃとによって挟まれながら、順次ティッシュペーパー２が積み重ねられている重畳構造や、図７に示されるように、中央線を折り目として約半分に折り畳まれた第１ティッシュペーパー２と、外側部分がそれぞれ反対面側に折り返され断面Ｚ状とされる第２ティッシュペーパー２’とが積層方向に交互に配列されるとともに、前記第１ティッシュペーパー２の上側部分２ｂのほぼ先端側半分が前記第２ティッシュペーパー２’の断面Ｚ形状を構成する下側の折返し部分２ｇと中間部分２ｆとの間に挟まれ、かつ前記第１ティッシュペーパー２の下側部分２ａのほぼ先端側半分が前記第２ティッシュペーパー２’の断面Ｚ形状を構成する上側折返し部分２ｅと中間部分２ｆとに挟まれながら順次積み重ねられている重畳構造などを挙げることができる。
【００１８】
本携帯用ティッシュ１では、特にバッグ内に携帯用ティッシュを包装袋３の短辺４を立て置きで収容した状態のままティッシュペーパーの取出しを容易化するために、前記ミシン目３ａがフィルム包装袋３の幅方向中心位置Ｋよりも一方の長手方向側縁５１側に片寄った位置に形成されている。この場合、前記ミシン目３ａは図２に示されるように、フィルム包装袋３の幅方向中心Ｋより一方の長手方向側縁５１側に、包装袋短辺寸法Ｌ２の２０％範囲Ｓ３を越えた位置から前記一方の長手方向側縁５１までの範囲Ｓ２内に形成されていることが望ましい。特に好ましいのは、長手方向側縁５１の近傍付近、具体的には側縁５１から幅方向中心Ｋに向かって包装袋短辺寸法Ｌ２の１５％以内、好ましくは包装袋短辺寸法Ｌ２の１０％以内の範囲である。前記ミシン目３ａがフィルム包装袋３の幅方向中心Ｋより一方の長手方向側縁５１側に、包装袋短辺寸法Ｌ２の２０％範囲Ｓ３以内の場合には、従来のように中央位置に形成される場合よりはやや取出しは良好となるものの、やはり他の収容物を押し退けなければティッシュペーパー２，２…が取出しづらいなどの問題が残るものとなる。特に、長手方向側縁５１の近傍に設ける場合には、他の収容物が邪魔にならず上方向へティッシュペーパー２を取り出すことが可能になるとともに、ポップアップされた次のティッシュペーパー２，２が上向きに突出するようになるため、ティッシュペーパー２，２の取出しが非常に容易に行えるようになる。
【００１９】
前記ミシン目３ａの長さＳ１は、フィルム包装袋３の長手寸法Ｌ１に対して４５〜７０％の割合とするのがティッシュペーパー２，２…の取出し性の点から好ましい。前記割合が４７％未満である場合には、フィルム包装袋３の中間部における広がりが抑えられるためティッシュペーパー束２Ａのヨレ、型崩れ防止効果が上がるものの、ティッシュペーパー２を取出口３ａから取り出す際にきつくなり、取出し性が悪化するとともに、ティッシュペーパー２に破れが生じることがある。また、前記割合が７０％を超える場合には、ティッシュペーパー２の取出しは容易になるけれども、ティッシュペーパー束２Ａの自由度が大きくなり形状を維持できなくなる。
【００２０】
他方、携帯用ティッシュ１をバッグ内に、包装袋３の短辺４を立て置きした状態を安定的に保持しながら収容可能とするために、図３に示されるように、少なくとも前記ミシン目３ａに対して相対的に遠距離側となる長手方向側縁部分５２に襠６，６を形成し、自立可能とするのが望ましい。この襠６，６の幅は、ティッシュぺーパー束の厚みに少なくとも５ｍｍを加えた寸法以上の幅とするのが望ましい。また、襠６の形成態様としては他に、図４に示されるように、フィルム包装態様を短辺側の１辺のみをシールする所謂ガセット包装とし、シール部８とは反対の底面端部に折り込みによる襠７を形成するようにしてもよい。
【００２１】
ところで、本携帯用ティッシュ１は、鼻炎、花粉症等のある程度の使用量が必要とされる際に、使用に供されるものであるため、ティッシュペーパー２は、グリセリンや多価アルコール等の保湿成分を含浸させたローション入りティッシュペーパー２とするのが望ましい。前記保湿成分はシート重量に対して５〜３０％含浸させるようにするのが望ましい。また、ティッシュペーパー２の米坪は通常通り、１０〜２５ｇ／ｍ２のものが好適に用いられる。
【００２２】
【発明の効果】
以上詳説のとおり本発明によれば、バッグ内に携帯用ティッシュを包装袋の短辺を立て置きで収容した状態のまま、ティッシュペーパーを容易に取出しできるようになる。また、バッグ内に携帯用ティッシュを包装袋の短辺を立て置きした状態で安定的に収容可能となる。
【図面の簡単な説明】
【図１】本発明に係る携帯用ティッシュ１の斜視図である。
【図２】その平面図である。
【図３】襠６、６を形成したフィルム包装袋３の例を示す斜視図である。
【図４】襠を底面に形成した他のフィルム包装袋の形態例図である。
【図５】ティッシュペーパー２の重畳構造（２つ折り）を示す断面図である。
【図６】ティッシュペーパー２の重畳構造（３つ折り）を示す断面図である。
【図７】ティッシュペーパー２の重畳構造（変形３つ折り）を示す断面図である。
【図８】従来のハンディ型携帯用ティッシュを示す斜視図である。
【符号の説明】
１…携帯用ティッシュ、２…ティッシュペーパー、２Ａ…ティッシュペーパー束、３…フィルム包装袋、３ａ…ミシン目、４・８…開口側短辺、５１…一方の長手方向側縁、５２…他方の長手方向側縁、６・７…襠、Ｋ…幅方向中心位置
【図１】
2004217298.tif 000003
【図２】
2004217298.tif 000004
【図３】
2004217298.tif 000005
【図４】
2004217298.tif 000006
【図５】
2004217298.tif 000007
【図６】
2004217298.tif 000008
【図７】
2004217298.tif 000009
【図８】
2004217298.tif 000010